(57)【要約】  【課題】  熟練した作業者が、経験上のカンを頼りにチェーン等の張状物の張り強度を決めていたため、誰でもが一定の強さでチェーン等の張状物を張ることが困難であった。  【解決手段】  棒状体２と、棒状体２に設けられ張状物Ｈの一部に着脱自在に固定可能な固定部３と、固定部３とは棒状体２の長手方向反対側に設けられ張状物Ｈと長手方向にスライド可能な調整支持部４と、固定部３と調整支持部４との略中間に設けられ張状物Ｈに圧力を加え、その反作用による圧力値を測定することができる圧力測定部５を設けた張状物の張り強度測定器１による。【選択図】  図１
2006084234.tif 000002
【特許請求の範囲】
【請求項１】
棒状体と、棒状体に設けられ張状物の一部に着脱自在に固定可能な固定部と、固定部とは棒状体の長手方向反対側に設けられ張状物の一部と長手方向にスライド可能な調整支持部と、固定部と調整支持部との略中間に設けられ張状物に圧力を加え、その反作用による圧力値を測定することができる圧力測定部を設けたことを特徴とする張状物の張り強度測定器。
【請求項２】
張状物の張り強度測定時に、張状物と固定部の位置する棒状体との間隔及び張状物と調整支持部の位置する棒状体との間隔とを略同じ第１間隔にするとともに、この第１間隔が張状物と圧力測定部の位置する棒状体との第２間隔より狭い間隔である請求項１記載の張状物の張り強度測定器。
【請求項３】
圧力測定部が、張状物に圧力を加える圧力プレートと、圧力ゲージと、圧力プレートと圧力ゲージの間に設けたスプリングとからなり、張状物に圧力プレートにより圧力を加え、張状物からの反作用による圧力値をスプリングを介して圧力ゲージにより測定する圧力測定部である請求項１又は請求項２に記載の張状物の張り強度測定器。
【発明の詳細な説明】
【技術分野】
【０００１】
この発明は、搬送装置、引き上げ装置、自転車、オートバイなどに使用されるチェーン、エレベーターのワイヤー、また各種搬送装置に使用されるＶベルトなどの駆動ベルトのような張状物の張り強度を容易に測定可能な器具に関する。
【背景技術】
【０００２】
搬送装置等のチェーンを使用する設備において、チェーンの張りを一定に保ってスプロケットやギアに取り付けることは、作業の安全を確保するためにも必要であった。特に、平行する２つのチェーンを使って部材を吊り下げる装置などでは、２つのチェーンの張りが同じに設定して装備し、そのまま保つことが必要条件であった。
【０００３】
しかし、従来は、チェーンやワイヤー等の張状物を取り付け作業者が、取り付け時に、経験上のカンを頼りに手作業で張り強度の調整を行っていた。
【０００４】
チェーンの他の張状物であるＶベルトや、駆動ベルト、エレベーターなどの吊り下げワイヤーなどの張り強度の調整も、取り付け時に、経験上のカンを頼りに手作業で張り強度の調整を行っていた。
【発明の開示】
【発明が解決しようとする課題】
【０００５】
従来は、熟練した作業者が、チェーン等の張状物を装置に装備する場合や保守点検、整備作業を行う場合、経験上のカンを頼りにチェーン等の張状物の張り強度を決めていたため、誰でもが一定の強さでチェーン等の張状物を張ることが困難であった。
【課題を解決するための手段】
【０００６】
上記の課題を解決するために、棒状体と、棒状体に設けられ張状物の一部に着脱自在に固定可能な固定部と、固定部とは棒状体の長手方向反対側に設けられ張状物の一部と長手方向にスライド可能な調整支持部と、固定部と調整支持部との中間に設けられ張状物に圧力を加え、その反作用による圧力値を測定することができる圧力測定部を設けたことを特徴とする張状物の張り強度測定器を提案する。
【０００７】
また、張状物の張り強度測定時に、張状物と固定部の位置する棒状体との間隔及び張状物と調整支持部の位置する棒状体との間隔とを略同じ第１間隔にするとともに、この第１間隔が張状物と圧力測定部の位置する棒状体との第２間隔より狭い間隔である請求項１記載の張状物の張り強度測定器を提案する。
【０００８】
更に、圧力測定部が、張状物に圧力を加える圧力プレートと、圧力ゲージと、圧力プレートと圧力ゲージの間に設けたスプリングとからなり、張状物に圧力プレートにより圧力を加え、張状物からの反作用による圧力値をスプリングを介して圧力ゲージにより測定する圧力測定部である０００６欄又は０００７欄に記載の張状物の張り強度測定器を提案する。
【発明の効果】
【０００９】
この発明によれば、チェーン等の張状物の張り強度を、熟練した作業者のカンなどに頼らず、誰でもが容易に、張状物の張り強度を測定し、即座に対応して希望する張り強度が得られることが可能になった。したがって、その張状物を最適な張り強度で所定の器具等に掛け渡すことができるようになった。
【発明を実施するための最良の形態】
【００１０】
この発明の一つの実施形態である張状物の張り強度測定器の斜視図である図1、図１のＡ部拡大正面図である図２、図１のＢ部拡大正面図である図３、図１のＣ部拡大正面図である図４、図４の分解説明図である図５、この発明の一つの実施形態である張状物の張り強度測定器によってチェーンＨの張り強度を測定する場合の説明図である図６、張状物Ｈがワイヤーの場合の図1のＡ部に相当する部位の拡大斜視図である図７、同じく張状物Ｈがワイヤーの場合の図１のＣ部に相当する部位の拡大断面図ある図８に基づいて説明する。図１乃至図６は、張状物Ｈがチェーンの場合を示す。
【００１１】
この発明の第１実施形態である張状物Ｈの張り強度測定器１は、棒状体２と、棒状体２の一端に設けられ張状物の一部に着脱自在に係止して固定可能な固定部３と、棒状体の固定部３の反対側端部に設けられ張状物の一部を挟み込み長手方向にスライド可能な調整支持部４と、固定部３と調整支持部４との略中間に張状物に圧力を加え、その反作用による圧力値を測定することができる圧力測定部５を設けている。
【００１２】
棒状体２は、木製、鋼鉄製、硬質合成樹脂製等、硬度がある素材からなる直線状の細長い板状体であればよい。棒状体２の長さや幅等は、張状物の性質などによって適宜選択して変更可能である。
【００１３】
固定部３は、この実施形態では棒状体２の一端に固定されているが、棒状体２の一部に移動可能、取り替え可能に設けてもよい。固定部３は、先端３２を張状物Ｈの一部に係止可能な鈎形に形成するとともに、張状物Ｈの張り強度測定時に、張状物Ｈと固定部３の位置する棒状体２（Ａ部）との間隔を第１間隔Ｄ１として一定に保つ長さの支持部３１を有する。支持部３１の長さは、測定する張状物Ｈの大きさ、長さ等に対応させ、変更可能である。この実施形態では張状物Ｈがチェーンであるので、固定部３の先端３２は、チェーン用にチェーンの一部に引っかけて係止可能な鈎形に形成されており、係止ボルト３０によって棒状体２に着脱自在である。
【００１４】
調整支持部４は、この実施形態ではクランプであり、一定の厚さを有する挟持体４１と、締付けネジ４０、及び締付けネジ４０の雄ねじと螺合する雌ネジ体４２とからなる。締付けネジ４０の太さは、対象となるチェーンの１つのパート、或はパート間でチェーンの長手方向にスライド可能であるようにパート間や、１つのパート内の寸法より細く移動可能な太さである。挟持体４１は、張状物Ｈの張り強度測定時に、挟持体４１中央に設けた孔、又は雌ネジ孔に締付けネジ４０の雄ねじ４００を挿入し、又は螺合し、更に張状物Ｈを雌ねじ体４２で挟み込み、雄ねじ４００を雌ねじ体４２に螺合して締め付けることにより、調整支持部４を張状物Ｈへ挟持する。
【００１５】
挟持体４１の厚さは、調整支持部４の位置する棒状体２（Ｃ部）との間隔が、張状物Ｈの張り強度測定時に、張状物Ｈと固定部３の位置する棒状体２（Ａ部）との第１間隔Ｄ１と、略同じ距離の第１間隔Ｄ１となるように形成される。また締付けネジ４０の締付け具合によっても、第１間隔Ｄ１の距離を微調整可能である。したがって、挟持体４１の厚さは、固定部３の支持部３１の長さに対応して変更する必要があり、棒状体２に対して着脱可能である。
【００１６】
圧力測定部５は、固定部３と調整支持部４との略中間位置になるように棒状体２（Ｂ部）に固定されて設けられる。圧力測定部５は、張状物Ｈの張り強度測定時に固定部３と調整支持部４によって棒状体２が張状物Ｈに並行に設けられた状態で、張状物Ｈと圧力測定部５の位置する棒状体２（Ｂ）との間隔である第２間隔Ｄ２は、第１間隔Ｄ１より広い間隔である。すなわち張状物Ｈの張り強度測定時の第１間隔Ｄ１と第２間隔Ｄ２との関係は、Ｄ２>Ｄ１である。この第１間隔Ｄ１と第２間隔Ｄ２との間隔の寸法差は、この実施形態では棒状体２の固定部３と調整支持部４との距離をＤ３とすると以下の式の数値の通りである。
【００１７】
Ｄ３：（Ｄ２−Ｄ１）＝７００：５。
【００１８】
圧力測定部５は、張状物Ｈに接して圧力を加える圧力プレート５２と、圧力プレート５２を介して張状物Ｈからの圧力を表示する圧力ゲージ５０と、圧力プレート５２と圧力ゲージ５０との間に設けたスプリング５１とからなる。圧力測定部５は、張状物Ｈに圧力プレート５２により圧力を加え、張状物Ｈからの反作用による圧力値をスプリング５１を介して圧力ゲージ５０の表示により測定する。
【００１９】
圧力ゲージ５０は、この実施形態では、予め測定予定の張状物Ｈの張り強度の理想値を決め、その反作用による圧力値を受けたときに０表示となるように調整しておく。このとき上記したような第１間隔Ｄ１と第２間隔Ｄ２との間隔の寸法差、及び棒状体２の固定部３と調整支持部４との距離Ｄ３の関係を、Ｄ３：（Ｄ２−Ｄ１）＝７００：５とした場合、スプリング５１の強さは、１９６．１Ｎ（ｋｇｆ）に設定される。そして圧力ゲージ５０の表示は、張状物Ｈの張り強度測定時に、張り強度の理想値より張り強度が弱ければマイナスの数値又は単にマイナス記号、強ければプラスの数値又はプラス記号が表示されるように調整する。
【００２０】
図７に示す第２実施形態の固定部３ａは、張状物Ｈがワイヤーの場合に使用する張り強度測定器１ａの固定部３ａの形状を示す。この固定部３ａの形状はワイヤーＨＷを上下から挟み込む挟持体３１ａからなり、挟持体３１ａはバネ等を利用した開閉自在の構成であり、バネ等によって閉鎖方向へ付勢されている。挟持体３１ａの挟み込み面３１０、３１１はワイヤー周面に対応するよう各々断面半円形状の溝に形成されている。
【００２１】
図８に示す第２実施形態の調整支持部４ａは、張状物Ｈがワイヤーの場合に使用する張り強度測定器１ａの調整支持部４ａの形状を示す。この調整支持部４ａの形状は、板状体の先端を溝状に形成しワイヤーＨ１を挟み込みかつワイヤーＨ１を長手方向にスライド移動可能なスライド溝４０ａからなる。スライド溝４０ａは、断面が半円形状の溝を有している。
【００２２】
次に発明の第１実施形態である張状物の張り強度測定器１の作用を説明する。張り強度を測定しようとする張状物であるチェーンＨの一つの部分に固定部３の先端３２を引っかけて抜けないように係止させてチェーンＨに固定する。次に、調整支持部４の挟持体４１から突出する締め付けネジ４０をチェーンＨの一つの部位に挿入し、反対側に突出した締め付けネジ４０に雌ネジ体４２を螺合させる。これによって固定部３位置の棒状体２（Ａ部）とチェーンＨの間隔と、調整支持部４位置の棒状体２（Ｃ部）とチェーンＨの間隔を、同じ第１間隔Ｄ１として、棒状体２とチェーンＨが並行になるように設ける。このとき締付けネジ４０と雌ねじ体４２の螺合の締付けを緩めておき長手方向へスライド可能に設ける。この状態で圧力測定部５のチェーンＨとの距離である第２間隔Ｄ２の距離を微調整可能としている。
【００２３】
このとき圧力測定部５は、固定部３と調整支持部４との中間位置（Ｂ部）となるように固定されており、第１間隔Ｄ１より広い第２間隔Ｄ２となるように圧力測定部５の圧力プレート５２が、チェーンＨを押圧する。そして、張状物Ｈからの反作用が圧力としてスプリング５１を介して圧力ゲージ５０に伝達される。圧力ゲージ５０は、その反作用の圧力が、想定した張り強度の圧力より弱ければマイナスの数値又は単にマイナス記号、強ければプラスの数値又はプラス記号を表示する。作業者は、このプラスマイナスを見ながら、張状物Ｈの張り強度を圧力ゲージ５０の表示値が０表示となるように微調整することができる。このようにして、チェーン等の張状物Ｈの張り強度を測定して数字化することができるため、張状物Ｈをその設置する場所において、張り強度を正確かつ安定して設置することがができる。また、張状物Ｈの保守作業として、その張り強度の測定や微調整を非常に容易に行うことができる。
【００２４】
又、張状物Ｈが、チェーン以外のワイヤー、Ｖベルトなども同様に、固定部３と調整支持部４によって棒状体２を張状物Ｈに平行に固定するが、対象となる張状物Ｈの形状によって、固定部３および調整支持部４の形状、大きさは変更してもよい。そして、固定部３の位置する棒状体２（Ａ部）と張状物Ｈとの間隔の距離、調整支持部４の位置する棒状体２（Ｃ部）と張状物Ｈの間隔の距離を同じ第１間隔Ｄ１として、その中間に位置する圧力測定部５の位置る棒状体２（Ｂ部）と張状物Ｈとの間隔の距離を第２間隔Ｄ２として設定し、第１間隔Ｄ１は第２間隔Ｄ２よりやや狭い間隔になるようにして設ける。また上記したスプリング５１の強度、圧力ゲージ５０の数値を、張状物Ｈの求める張り強度に予め調整することによって理想の張り強度を容易に調整して得ることが可能になった。
【産業上の利用可能性】
【００２５】
この発明は、搬送装置、引き上げ装置、自転車、オートバイなどに使用されるチェーン、エレベーターのワイヤー、また各種搬送装置に使用されるＶベルトなどの駆動ベルトのような張状物を装備、保守、点検する場合に利用可能性が高い。
【図面の簡単な説明】
【００２６】
【図１】この発明の一つの実施形態を示し、張状物がチェーンである場合の張状物の張り強度測定器の斜視図
【図２】図１のＡ部拡大正面図
【図３】図１のＢ部拡大正面図
【図４】図１のＣ部拡大正面図
【図５】図４の分解説明図
【図６】この発明の一つの実施形態である張状物の張り強度測定器によってチェーンＨの張り強度を測定する場合の説明図
【図７】この発明の他の実施形態を示し、張状物がワイヤーの場合の張状物の張り強度測定器の図１のＡ部に相当する部位の拡大斜視図
【図８】この発明の他の実施形態を示し、張状物がワイヤーの場合の張状物の張り強度測定器の図１のＣ部に相当する部位の拡大斜視図
【符号の説明】
【００２７】
１  張状物の張り強度測定器
２  棒状体
３  固定部
３０  係止ボルト
３１  支持部
３２  先端
３ａ  固定部（張状物がワイヤーの場合）
３１ａ  挟持体（張状物がワイヤーの場合）
３１０，３１１  挟み込み面（張状物がワイヤーの場合）    
４  調整支持部
４０  締付けネジ
４１  挟持体
４２  雌ネジ体
４ａ  調整支持部（張状物がワイヤーの場合）
４０ａ  スライド溝（張状物がワイヤーの場合）
５  圧力測定部
５０  圧力ゲージ
５１  スプリング
５２  圧力プレート
Ｈ  張状物（チェーン）
ＨＷ  張状物（ワイヤー）
Ｄ１  第１間隔（固定部の位置する棒状体と張状物との距離、調整支持部の位置する棒状体と張状物との距離）
Ｄ２  第２間隔（圧力測定部位置する棒状体と張状物との距離）
Ｄ３  第３間隔（固定部と調整支持部の距離）  
【図１】
2006084234.tif 000003
【図２】
2006084234.tif 000004
【図３】
2006084234.tif 000005
【図４】
2006084234.tif 000006
【図５】
2006084234.tif 000007
【図６】
2006084234.tif 000008
【図７】
2006084234.tif 000009
【図８】
2006084234.tif 000010